(57)【要約】      （修正有）【課題】ＰＴＰによって包装される薬品等を挟み込んで収納する包装容器に対して、より効果的に付加情報を添付できるカード型包装容器を提供する。【解決手段】ＰＴＰ５０を保持するカード型包装容器１であって、付加情報が印刷される第一シート１０と、ＰＴＰの突出部が貫通可能な中空の第一窓部が形成され、上端から第一窓部上部まで斜めに形成される切断線及び第一窓部下部から下端まで直線状に形成される切断線を有する第二シート２０と、ＰＴＰの突出部が貫通可能な中空の第二窓部が形成され、上端から下端まで直線状に形成される切断線を有する第三シート３０と、付加情報が印刷され第三シートとの境界で切り離し可能な切離線を有する第四シート４０と、を有し、第二シート２０及び第三シート３０によってＰＴＰ５０を挟持することでＰＴＰを保持することを特徴とする。【選択図】図１
0003181335.tif 000002
【実用新案登録請求の範囲】
【請求項１】
連続した複数のカード状のシートによって構成されるブランク板を折り畳んで構成され、複数の前記カード状のシートのうち２枚で突出部を有するＰＴＰの平面部を挟持することで前記ＰＴＰを保持するカード型包装容器であって、
付加情報が印刷される第一シートと、
前記ＰＴＰの前記突出部が貫通可能な中空の第一窓部が形成され、上端から前記第一窓部の上部まで斜めに形成される第一切断線及び前記第一窓部の下部から下端まで直線状に形成される第二切断線を有する第二シートと、
前記ＰＴＰの前記突出部が貫通可能な中空の第二窓部が形成され、上端から下端まで直線状に形成される第三切断線を有する第三シートと、
付加情報が印刷され前記第三シートとの境界で切り離し可能な切離線を有する第四シートと、を有し、前記第二シート及び前記第三シートによって前記ＰＴＰを挟持することで前記ＰＴＰを保持することを特徴とするカード型包装容器。
【請求項２】
前記第四シートには、両面に前記付加情報が印刷されることを特徴とする請求項１に記載のカード型包装容器。
【請求項３】
前記第二シート及び前記第三シートは互いに接着され、
前記第二シート及び前記第三シートを、第一切断線及び第三切断線に沿って前記第一窓部及び前記第二窓部まで切断することで、前記ＰＴＰが取り出し可能となることを特徴とする請求項１又は請求項２に記載のカード型包装容器。
【請求項４】
前記第四シートには、前記ＰＴＰの前記突出部が貫通可能な中空の第三窓部が形成されることを特徴とする請求項１乃至請求項３のいずれか１項に記載のカード型包装容器。
【考案の詳細な説明】
【技術分野】
【０００１】
本考案は、カード状の包装体にＰＴＰによって包装される薬品等を挟み込んで収納するカード型包装容器に関する。
【背景技術】
【０００２】
薬品をＰＴＰ（Press Through Package）に包み、且つＰＴＰを包装する包装容器として、２つのカード状の包装体の間にＰＴＰを挟み込むものがある（例えば、特許文献１、特許文献２参照）。
【０００３】
厚紙状の第１シートと第２シートとの間にＰＴＰに包まれた錠剤等の薬品を挟みこみ、前記第１シート及び前記第２シートの一部を互いに貼り付けることで、前記薬品を固定している。
【０００４】
ここで、薬品についての、種類・効用・投薬指導等の付加情報は、第１シート又は第２シートの表面又は裏面における、ＰＴＰが表出する部分以外の箇所に記入していた。
【先行技術文献】
【特許文献】
【０００５】
【特許文献１】特開２００６−２４８５４５
【特許文献２】特開２００９−２０８８１２
【考案の概要】
【考案が解決しようとする課題】
【０００６】
しかしながら、第１シート及び第２シートのみに付加情報を記入する場合、薬品の大きさが大きい場合、又は第１シートや第２シートの大きさが小さい場合には、充分な情報を付加することができない場合があった。
【０００７】
本考案の目的は、ＰＴＰによって包装される薬品等を挟み込んで収納するカード型包装容器に対して、より効果的に付加情報を添付することである。
【課題を解決するための手段】
【０００８】
上記目的を達成するための本考案の代表的な構成は、
連続した複数のカード状のシートによって構成されるブランク板を折り畳んで構成され、複数の前記カード状のシートのうち２枚で突出部を有するＰＴＰの平面部を挟持することで前記ＰＴＰを保持するカード型包装容器であって、
付加情報が印刷される第一シートと、
前記ＰＴＰの前記突出部が貫通可能な中空の第一窓部が形成され、上端から前記第一窓部上部まで斜めに形成される切断線及び前記第一窓部下部から下端まで直線状に形成される切断線を有する第二シートと、
前記ＰＴＰの前記突出部が貫通可能な中空の第二窓部が形成され、上端から下端まで直線状に形成される切断線を有する第三シートと、
付加情報が印刷され前記第三シートとの境界で切り離し可能な切離線を有する第四シートと、を有し、前記第二シート及び前記第三シートによって前記ＰＴＰを挟持することで前記ＰＴＰを保持することを特徴とするカード型包装容器。
【考案の効果】
【０００９】
上述の構成によって、ＰＴＰによって包装される薬品等を挟み込んで収納するカード型包装容器に対して、より効果的に付加情報を添付することができる。
【図面の簡単な説明】
【００１０】
【図１】包装容器の完成状態の斜視図。
【図２】ＰＴＰが取り出され且つ第四シートが切り離された状態を示す斜視図。
【図３】包装容器のブランク板を示す平面図。
【図４】包装容器の組立状態を示す斜視図。
【考案を実施するための形態】
【００１１】
図を用いて本考案の詳細な説明をする。
【００１２】
〔包装容器１の概略構造〕
図１は包装容器の完成状態の斜視図である。
【００１３】
包装容器１は、複数のカード状のシートのうち２枚で、突出部５２を有するＰＴＰ５０（Press Through Package）の平面部５１を挟持することで、ＰＴＰ５０を保持するカード型包装容器である。
【００１４】
図１に示すように、本実施形態の包装容器１は、複数のカード状のシートとして、４枚のシート（第一シート１０、第二シート２０、第三シート３０、第四シート４０）から構成される。
【００１５】
４枚のシートを折り畳むと、図１（ｂ）に示すように、窓部Ｗが形成される。このため、第二シート２０及び第三シート３０によってＰＴＰ５０の平面部５１を挟持することで、ＰＴＰ５０を保持すると、ＰＴＰ５０の突出部５２が窓部Ｗから貫通可能である。これにより、第二シート２０と第三シート３０とに挟持されたＰＴＰ５０に内包される錠剤等の内包物が大きくとも、包装容器１の厚みを抑制することができる。
【００１６】
図２はＰＴＰが取り出され且つ第四シートが切り離された状態を示す斜視図である。
【００１７】
図２に示すように、第二シート２０及び第三シート３０は互いに接着され、一体的となる。そして、第二シート２０及び第三シート３０を、第一切断線Ｄ１及び第三切断線Ｄ３に沿って窓部Ｗ（図１参照）まで切断することで、ＰＴＰ５０が取り出し可能となる。
【００１８】
また、第四シート４０は、包装容器１本体から切り離すことができる切離線Ｄ４を有する。このように、切離線Ｄ４において包装容器１と第四シート４０とを切り離すことで、第四シート４０に付加された付加情報Ｉ１を包装容器１本体から独立して持ち運ぶことができる。
【００１９】
尚、本実施形態の第四シート４０には、後述するように、両面に付加情報が印刷される。即ち、裏面には付加情報Ｉ２が印刷される。このように両面に付加情報を付することによって、より多くの情報を印刷することができる。
【００２０】
付加情報としては、錠剤等の薬品の効用説明、投薬指導、製品管理等の情報などがあるが、これに限られるものではなく、内包物に関する情報であればよい。
【００２１】
このように、両面に印刷可能な第四シート４０があることで、より多くの付加情報を付することができる。また、第四シート４０は包装容器１本体から切離すことができる。よって、より効果的に付加情報を添付することができる。
【００２２】
尚、本実施形態のように、第四シート４０にも、ＰＴＰ５０の突出部５２が貫通可能な中空の第三窓部Ｗ３が形成されれば、突出部５２が包装容器１の内側に突出した場合に、より包装容器１の厚みを抑制することとなる。しかしながら、第三窓部Ｗ３は必ずしも必要なものではなく、第三窓部Ｗ３を形成せずに、第四シート４０の両面全てに付加情報Ｉ１及び付加情報Ｉ２を付することとしてもよい。
【００２３】
〔包装容器１の詳細構造〕
包装容器１は連続した複数のカード状のシートによって構成されるブランク板を折り畳んで構成される。ここで、包装容器１を構成する各シート構成を詳細に説明する。図３は包装容器のブランク板を示す平面図であり、（ａ）がブランク板の表面（１０Ａ〜４０Ａ）であり、（ｂ）がブランク板の裏面（１０Ｂ〜４０Ｂ）である。
【００２４】
包装容器１は、図３に示すように、第一シート１０、第二シート２０、第三シート３０、第四シート４０、が連続して形成される。第一シート１０と第二シート２０との間は、第二シート２０及び第三シート３０を折り畳んで接着した場合の厚みよりも大きい幅のマチ部１１によって連結されている。
【００２５】
マチ部１１の両端は折り曲げやすいように溝形状の折部Ｃ１、折部Ｃ２が形成される。第二シート２０と第三シート３０との間は折部Ｃ３が形成される。第三シート３０と第四シート４０との間は、上述のように、切離し可能な切離線Ｄ４が形成される。これは折り曲げやすい機能をも有する。
【００２６】
図３に示すように、第一シート１０には上述と同じ種類の付加情報Ｉ３が印刷される。
【００２７】
第二シート２０には、ＰＴＰ５０の突出部５２が貫通可能な中空の第一窓部Ｗ１が形成される。また、第二シート２０の上端から第一窓部Ｗ１上部まで斜めに形成される第一切断線Ｄ１及び第一窓部Ｗ１の下部から第二シート２０の下端まで、直線状に形成される第二切断線Ｄ２が形成される。ここで、「切断線」とは予め切れ目が形成されている線のことである。このように切断線があると、切断線に沿って切りやすい。
【００２８】
また、第二シート２０には、第三シート３０に対して接着される接着剤Ｇが形成される。
【００２９】
第三シート３０には、ＰＴＰ５０の突出部５２が貫通可能な中空の第二窓部Ｗ２が形成される。そして、第三シート３０の上端から下端まで直線状に形成される第三切断線Ｄ３を有する。
【００３０】
第四シート４０には、付加情報Ｉ１、付加情報Ｉ２が印刷される。また、第四シート４０と第三シート３０との境界において、容易に切り離しが可能となるよう、切離線Ｄ４が形成される。
【００３１】
図４を用いて、組立状態を示しつつ、各部の構成を説明する。図４は包装容器の組立状態を示す斜視図である。
【００３２】
図４に示すように、まず、第一シート１０と第二シート２０との間のマチ部１１に隣接する折部Ｃ１及び折部Ｃ２を、第一シート１０の裏面１０Ｂと第二シート２０の裏面２０Ｂがいずれも内側になるように折る。また、第二シート２０と第三シート３０との間の折部Ｃ３を、第二シート２０の裏面２０Ｂと第三シート３０の裏面３０Ｂがいずれも内側になるように折る。また、第三シート３０と第四シート４０との間の切離線Ｄ４を、第三シート３０の表面３０Ａと第四シート４０の表面４０Ａとが内側になるように折る。
【００３３】
そして、ＰＴＰ５０の突出部５２が第二シート２０の裏面２０Ｂから表面２０Ａ方向に貫通するように、突出させる。
【００３４】
その後、第二シート２０及び第三シート３０を重ねて接着剤Ｇによる接着が行われると、ＰＴＰ５０の平面部５１が第二シート２０及び第三シート３０より挟持され、ＰＴＰ５０は第二シート２０及び第三シート３０の間に保持される。
【００３５】
最後に、第三シート３０に接着された第二シート２０の上面に、第四シート４０と第一シート１０とを順に折り畳む。これにより、包装容器１が完成する。ここで、第一窓部Ｗ１、第二窓部Ｗ２、第三窓部Ｗ３は互いに連通し、窓部Ｗを形成する。この窓部ＷからＰＴＰ５０の突出部５２を突出させることで、厚みのある突出部５２を保持することにより包装容器１の厚みが大きくなることへの影響を緩和することができる。
【００３６】
上述の構成により、包装容器１は、少なくとも、第四シート４０の表面４０Ａの付加情報Ｉ１、第四シート４０の裏面４０Ｂの付加情報Ｉ２、第一シート１０の裏面１０Ｂの付加情報Ｉ３に付加情報を印刷することができる。このため、ＰＴＰ５０を直接保持する第二シート２０及び第三シート３０の表面２０Ａ及び表面３０Ａに印刷を施すよりも、より多くの情報を付加することができる。
【００３７】
また、付加情報Ｉ１及び付加情報Ｉ２が付加された第四シート４０は包装容器１の本体から切離すことができる。すると、付加情報が付加されたカードが切離されることとなり、携帯が容易となる。このため、例えば、ＰＴＰ５０内の錠剤を飲んだ後、飲んだことの覚書として使用するとか、投薬後の注意事項を確認しやすくなる。
【００３８】
このように、本実施形態によれば、ＰＴＰによって包装される薬品等を挟み込んで収納するカード型包装容器に対して、より効果的に付加情報を添付することができる。
【産業上の利用可能性】
【００３９】
本考案は、カード状の包装体にＰＴＰによって包装される薬品等を挟み込んで収納するカード型包装容器に使用することができる。
【符号の説明】
【００４０】
Ｃ１…折部、Ｃ２…折部、Ｃ３…折部、Ｄ１…第一切断線、Ｄ２…第二切断線、Ｄ３…第三切断線、Ｄ４…切離線、Ｇ…接着剤、Ｉ１…付加情報、Ｉ２…付加情報、Ｉ３…付加情報、Ｗ…窓部、Ｗ１…第一窓部、Ｗ２…第二窓部、Ｗ３…第三窓部、１…包装容器、１０…第一シート、１１…マチ部、２０…第二シート、３０…第三シート、４０…第四シート、１０Ａ〜４０Ａ…表面、１０Ｂ〜４０Ｂ…裏面、５０…ＰＴＰ、５１…平面部、５２…突出部
【図１】
0003181335.tif 000003
【図２】
0003181335.tif 000004
【図３】
0003181335.tif 000005
【図４】
0003181335.tif 000006